(57)【要約】【課題】就寝時寝姿勢が変化しても身体に添った変形のできる枕を得る。【解決手段】使用者の頭部，胴部，足部に対応する如く分割され内部に詰め物を有する袋体を、隣り合う袋体同士が伸縮性のある連結袋体により繋ぎ合わされているものであって、就寝者の頭部，胴部，足部にほぼ対応する部分の枕袋体が、枕袋体を連結する連結袋体の変形により就寝者の身体の屈曲に応じそれに添う形とすることが出来る。連結袋体の詰物は、頭部，胴部，足部袋体の詰物充填量より少ない。連結袋体は、その厚味を薄く自在に屈折できる。連結袋体の長さは詰物を有する袋体の長さより短い。枕は連結袋体の部分で全体として自由に屈折するが、隣接する詰物を有する袋体同志の間隔を必要以上に広くすることなく詰物を有する袋体同志が接近した状態で屈折するので頭部，胴部，足部の袋体が自由に屈曲はするが連続した状態を呈し使用時に連続した袋体部分に途絶感を生じない。【選択図】図１
2008113854.tif 000002
【特許請求の範囲】
【請求項１】
少なくとも使用者の頭部，胴部，足部に対応する如く分割され内部に詰め物を有する袋体を、相隣り合う袋体と袋体とが伸縮性のある連結袋体により繋ぎ合わされていることを特徴とする抱き枕。
【請求項２】
伸縮性を有する連結袋体は、頭部，胴部，足部の袋体中の詰物よりも詰物充填量を少なくしたことを特徴とする請求項１記載の抱き枕。
【請求項３】
連結袋体の長さは、詰物を有する袋体の長さより短いことを特徴とする請求項１又は２に記載の抱き枕。
【発明の詳細な説明】
【技術分野】
【０００１】
本発明は、使用中就寝者の姿態に応じて形状が自在に変形し、使用者の寝姿勢が変化しても常にそれに添う最適な状態をとることの出来る抱き枕に関する。
【背景技術】
【０００２】
枕は敷寝具に体を横たえたときに、頭部を所定の高さに保つため頭部と寝具との間隙を埋める目的に使用するが、抱き枕にあっては更に枕を身体に添わせ身体と敷寝具との間に位置させて身体を支え安定させることも使用目的としている。
【０００３】
従って、従来から知られている抱き枕には円筒形状であって使用者の頭部から腰部までの長さの有するものや、上体部を大きく下腿部に対応する部位を細く絞り込んだ形状のもの（特許文献１参照）が知られている。
【０００４】
然し、寝姿勢にはいろいろあり、仰向け、横向き、うつ伏せなどが知られているが、大抵は横向きで、両足の間に掛け布団をはさみ込み、少しうつむき加減でまるまって寝る所謂シムスの体位と呼ばれる姿勢が多く、これが人の最も安楽な寝姿勢とされている。この姿勢は、また片足が心臓の位置より高くなるので足の血液の循環を促進するので楽になるという効果も生じる。
【０００５】
就寝時、横寝の姿勢をとるのが上記の如く通常であるが、枕の抱き方，両膝でのはさみ具合，左向き，右向き、横寝の角度，肘の曲げ方，腕の延ばし方，腰の曲げ方，膝の曲げ方など千差満別であり、寝姿勢に応じた形状に抱き枕も有る程度自在に屈曲変形をし就寝者の屈曲した体の線に添わなければならない。
【特許文献１】実用新案登録第３０３７４９５号公報
【発明の開示】
【発明が解決しようとする課題】
【０００６】
上記の点に鑑みて、本発明抱き枕は、就寝時使用者の寝姿勢が変化しても身体に添った変形のできる抱き枕を得ることを課題とする。
【課題を解決するための手段】
【０００７】
請求項１記載の抱き枕は、少なくとも使用者の頭部，胴部，足部に対応する如く分割され内部に詰め物を有する袋体を、相隣り合う袋体と袋体とが伸縮性のある連結袋体により繋ぎ合わされているものであって、この構成により就寝者の頭部，胴部，足部にほぼ対応する部分の枕袋体が、枕袋体を連結する連結袋体の変形により就寝者の身体の屈曲に応じてそれに添う形とすることが出来る。
請求項２記載の抱き枕は、請求項１記載の抱き枕において、連結袋体は頭部，胴部，足部の袋体中の詰物よりも詰物充填量を少なくしている。この構成により、連結袋体は、その厚味を薄く自在に屈折できるものとなっている。
請求項３記載の抱き枕は、請求項１記載の抱き枕において、連結袋体の長さを詰物を有する袋体の長さより短いものとしている。この構成により、枕は連結袋体の部分で全体としては自由に屈折するが、隣接する詰物を有する袋体同志の間隔を必要以上に広くすることなく詰物を有する袋体同志が接近した状態で屈折するので頭部，胴部，足部の袋体が自由に屈曲はするが連続した状態を呈し使用時に連続した袋体部分に途絶感を生じない。
【発明の効果】
【０００８】
本発明抱き枕は、少なくとも使用者の頭部，胴部，足部に対応する如く分割され内部に詰め物を有する袋体を、相隣り合う袋体と袋体とが伸縮性のある連結袋体により繋ぎ合わされているものであるために、就寝者の頭部，胴部，足部にほぼ対応する部分の枕袋体が、枕袋体を連結する連結袋体の変形により就寝者の身体の屈曲に応じて身体に添うことになり身体を安定して支えることが出来る。
【０００９】
本発明抱き枕は、枕袋体が少なくとも頭部，胴部，足部に分けて構成され連結されているために、例えば寝姿勢により足部の袋体に重圧が加えられたような場合であっても、それに隣接する袋体には前記圧力は及ぶことがなく安定しており、寝返り等による一部の袋体の圧力変動の隣接する袋体への影響を無くすることが出来る。
【００１０】
本発明抱き枕は、詰物を充填した袋体間を連結する連結袋体に詰物を入れないときは、該連結部分には空隙が生じ易く横向き寝のときなどに該部に手を差し延べて枕を抱えるようにすることも可能で枕の確保の点も有効である。
【００１１】
本発明抱き枕は、連結袋体の長さを詰物を有する袋体の長さより短く、かつ、該連結袋体内部には頭部，胴部，足部の袋体中の詰物よりも、詰物充填量を少なくしている。このため、連結袋体の部分で全体としては自由に屈曲するが隣接する詰物を有する袋体同志の間隔を広くすることなく、詰物を有する袋体同志が接近した状態で屈折するので頭部，胴部，足部の袋体が自由に屈曲するが、連続した状態を呈し、使用時に袋体部分に途絶感を生じない。
【発明を実施するための最良の形態】
【００１２】
本発明抱き枕を図面と共に次に説明する。
図１は、本発明抱き枕の斜視図、図２は同平面図である。
本発明抱き枕１は、それぞれ独立して内部に詰物を封入した複数の袋体１ａ，１ｂ，１ｃを、連結袋体２ａ，２ｂで連続してなる。
本発明抱き枕１は、使用者が枕使用時に、頭部を載せる頭部分１ａ，胴部を添わせる胴部分１ｂ，足で挟む足部分１ｃに分割され、更に必要があれば前記各部を分割することも出来る。
【００１３】
上記詰物を有する各部分の袋体は、それぞれが独立して構成された単位袋体であって、その単位袋体を連続袋体２で連続している。連続袋体２は伸縮性を有し、頭部，胴部，足部の袋体より詰物充填量を少なくし、伸ばされたり、縮んだり、折れ曲がったり、捻られたりしても自在に動くことが出来る。
【００１４】
また、抱き枕１の袋体１ａ，１ｂ，１ｃは次のようにしても作ることが出来る。筒状に構成した生地を横断する方向に所定間隔ごとに縫目を入れて各部袋体１ａ，１ｂ……と連結袋体２ａ，２ｂとを交互に形成することによって複数の袋体が連続袋体２によって接続された抱き枕１を構成しても良い。
【００１５】
詰め物を有する袋体の素材としては通常の抱き枕として使われる素材であればどんな素材でもよい。側生地としては織物・編物、或いはそのパイル生地等でよく、詰め物としては繊維綿、ポリウレタン発泡体、ポリスチレンビース等いずれでもよいが、柔らかい素材を使用することで寝姿勢に追随し動き易いものが好ましい。また、側生地の縫製仕様にはキルトを配置させ、掴み易く、また挟みやすい形状にすることで種々の寝姿勢に対し自在に変化し合わせることができる。折れ曲がり易い個所にはキルトを施すことにより自在に曲がったり折れたりし易くなる。
【００１６】
本発明抱き枕を使用するとき就寝者は抱き枕の頭部部分袋体１ａに頭を乗せ、横寝の形で一方の手を頭部袋体１ａと胴部袋体１ｂの間の連続袋体２ａの部分に入れて枕を確保すると共に胴部袋体１ｂを就寝者の身体に添わせ、足部袋体１ｃを就寝者の太股から膝，足で挟んでサポートする。
【００１７】
抱き枕の場合頭部，胴部，足部の各袋体１ａ，１ｂ，１ｃの詰物の多少によって枕の使用感覚が変化することは当然に生ずる。そこで各袋体にファスナー等の開口手段を用意し詰物量を変えることが出来るようにし、頭部分と足部分の大きさを変え様々な寝姿勢に対応できるようにしても良い。
【図面の簡単な説明】
【００１８】
【図１】本発明抱き枕の斜視図。
【図２】同平面図。
【符号の説明】
【００１９】
１  抱き枕
１ａ  頭部袋体
１ｂ  胴部袋体
１ｃ  足部袋体
２  連結袋体
【図１】
2008113854.tif 000003
【図２】
2008113854.tif 000004